(57)【特許請求の範囲】
【請求項１】
筐体に形成された、第１の通電用電極と、第１の計測用電極と、前記第１の通電用電極との間で生体に電流路を形成する第２の通電用電極と、前記第１の計測用電極との間で生体に生じる電位差を検出するための第２の計測用電極と、前記第１の計測用電極と前記第２の計測用電極との間の生体に生じた電位差によりインピーダンスを計測する計測手段と、計測条件を入力する入力手段と、計測手段で得られたデータと入力手段に設定されたデータを基に演算する演算手段と、入力の状態や演算の結果を表示する表示手段とを備えた生体インピーダンス計測装置において、筐体は結合または分離可能な、前記第１の通電用電極と前記第１の計測用電極を複数の同面に有する第１の筐体部と、前記第２の通電用電極と前記第２の計測用電極を同面に有する第２の筐体部とからなり、前記第１の筐体部と前記第２の筐体部との間を接続する電線を有することを特徴とする分離可能型生体インピーダンス計測装置。
【請求項２】
前記第２の筐体部の複数の同面に前記第２の通電用電極と前記第２の計測用電極を有することを特徴とする請求項１記載の分離可能型生体インピーダンス計測装置。
【請求項３】
前記表示手段は、生体の計測個所を表示することを特徴とする請求項１又は２記載の分離可能型生体インピーダンス計測装置。
【請求項４】
筐体に形成された、第１の通電用電極と、第１の計測用電極と、前記第１の通電用電極との間で生体に電流路を形成する第２の通電用電極と、前記第１の計測用電極との間で生体に生じる電位差を検出するための第２の計測用電極と、前記第１の計測用電極と前記第２の計測用電極との間の生体に生じた電位差によりインピーダンスを計測する計測手段と、計測条件を入力する入力手段と、計測手段で得られたデータと入力手段に設定されたデータを基に演算する演算手段と、入力の状態や演算の結果を表示する表示手段とを備えた生体インピーダンス計測装置において、筐体は結合または分離可能な、前記第１の通電用電極と前記第１の計測用電極を有する第１の筐体部と、前記第２の通電用電極と前記第２の計測用電極を有する第２の筐体部とからなり、前記第１の筐体部と前記第２の筐体部との間を接続する電線を有し、前記表示手段は、生体の計測個所を表示することを特徴とする分離可能型生体インピーダンス計測装置。
【発明の詳細な説明】
【０００１】
【発明の属する技術分野】
本発明は、生体インピーダンスを計測し、健康管理に有益な体脂肪率や体水分量等の情報を提供する生体インピーダンス計測装置に関し、より詳細には、筐体を分離することで電極間の距離が自由になる生体インピーダンス計測装置に関する。
【０００２】
【従来の技術】
従来、生体インピーダンス計測装置の一種である体脂肪計は、生体インピーダンスを計測し、生活習慣病を引き起こす原因となる体脂肪率等の肥満情報を推定することができる装置として、種々のタイプが提案されてきた。
その中に、筐体に計測手段・演算手段・入力手段・表示手段等を備え、筐体の表面とその裏面に通電用電極や計測用電極を設けた小型の体脂肪計がある。この小型の体脂肪計が提案されるまでに商品化され普及してきた、体重計と一体となった体脂肪計は、両足間のインピーダンスを計測する装置である。また、両手でハンドルを握って計測する体脂肪計は、両手間のインピーダンスを計測する装置である。これらの脂肪計は、いずれも人体の一定の部位間に限られたインピーダンスの計測しかできなかった。この小型の体脂肪計は、これらの体脂肪計とは異なり、一方の手と人体の所定の部位との間のインピーダンスを計測することができるという利点を有している装置である。（特開平１１−１９０５９号公報参照）。
【０００３】
【発明が解決しようとする課題】
上述の小型の体脂肪計は、被計測者自身が計測者とならなければならないため、病床で寝たきりの体の不自由な被計測者の場合には、計測ができないという問題がある。
また、健全な被計測者でも例えば一方の手と足との間のインピーダンスを計測するには、人体の姿勢を曲げなければならず、人体に負担がかかる。このため、人体の筋肉や脂肪の状態が安定せず、正確な計測値が得られないという問題がある。
また、一方の手を基準としなければならないため、例えば、腹部位に限定したような人体の諸部位間での脂肪率等を推定することができないという問題がある。
また、例えば一方の手とお腹との間のインピーダンスを計測しているときには、表示部が被計測者の視野に向いていないために計測状況を確認することができないという問題がある。
また、計測個所が両足間や両手間といった一定の部位間に限られたものでなく、一方の手と人体の諸部位との間であることから、被計測者は体脂肪計が現在どこの部位を計測するモードになっているのか認識できず、計測個所を間違えて計測してしまうという問題がある。
そこで、本発明の課題は、このような従来の小型の体脂肪計の問題を解決した生体インピーダンス計測装置を提供することである。
【０００４】
【課題を解決するための手段】
本発明の分離可能型生体インピーダンス計測装置は、第１の通電用電極と第１の計測用電極を有する第１の筐体部と、第２の通電用電極と第２の計測用電極を有する第２の筐体部とで分離できるようにするとともに、第１の筐体部と第２の筐体部との間を電線により接続するもので、計測個所の距離を自由にして計測することができる。したがって、病床で寝たきりの体が不自由な被計測者の場合でも、被計測者自身でない計測者が、第１の筐体部と第２の筐体部を分離し被計測者の計測個所に配置し、計測できるようになる。
【０００５】
また、第２の筐体部の同面に第２の通電用電極と第２の計測用電極を有するとすることにより、第２の筐体部を人体の諸部位に押し当てて計測することができる。これにより、健全な被計測者が一方の手と人体の諸部位との間のインピーダンスの計測をする場合においても、人体の姿勢を曲げて人体に負担をかけることなく計測できるので、正確な計測値が得られるようになる。
【０００６】
そのうえに、第１の筐体部の同面に第１の通電用電極と第１の計測用電極を有することにより、第１の筐体部も人体の諸部位に押し当てて計測することができる。これにより、腹部位に限定するような人体の諸部位間のインピーダンスの計測ができるようになる。
【０００７】
更に、第１の筐体部の複数の同面に第１の通電用電極と第１の計測用電極を有することにより、第１の筐体部の表示手段を計測者の視野に向けることができるので、計測状態を確認しながら計測できるようになる。
【０００８】
更に、第２の筐体部の複数の同面に第２の通電用電極と第２の計測用電極を有することにより、人体の諸部位に適応した電極面を押し当てることができるので、計測しやすくなる。
【０００９】
更に、本発明は、表示手段に人体のどの部位間を計測するかの案内を計測個所の名称や絵で表示させることにより、被計測者が計測個所を間違えないように計測できるようになる。
【００１０】
【発明の実施の形態】
本発明の分離可能型生体インピーダンス計測装置は、第１の通電用電極と第１の計測用電極を有する第１の筐体部と、第１の通電用電極との間で生体に電流路を形成する第２の通電用電極と第１の計測用電極との間で生体に生じる電位差を検出するための第２の計測用電極を有する第２の筐体部により形成する。そして、第１の筐体部と第２の筐体部は分離でき、第１の筐体部と第２の筐体部との間は電線を介して接続され通電するものである。また、第１の筐体部は、第１の計測用電極と第２の計測用電極との間の生体に生じた電位差によりインピーダンスを計測する計測手段と、計測条件を入力する入力手段と、計測手段で得られたデータと入力手段に設定されたデータを基に演算する演算手段と、入力の状態や演算の結果を表示する表示手段を備えるものである。
計測者は、第１の筐体部と第２の筐体部を分離し、被計測者の一方の部位に第１の通電用電極と第１の計測用電極とが接触するように第１の筐体部を保持し、もう一方の部位に第２の通電用電極と第２の計測用電極とが接触するように第２の筐体部を保持する。このような状態にすることにより、第１の通電用電極と第２の通電用電極との間の部位間に電流路が形成される。そして、第１の計測用電極と第２の計測用電極との間の部位間に生じた電位差を検出し、計測手段によりインピーダンスの計測ができるものである。
筐体は第１の筐体部と第２の筐体部とに分離でき、計測距離が自由にできることにより、被計測者の計測個所に配置できるので、たとえ病床で寝たきりの体が不自由な被計測者でも、被計測者自身でない計測者に手伝ってもらうことにより計測することができる。
【００１１】
また、本発明の分離可能型生体インピーダンス計測装置は、第２の筐体部の同面に第２の通電用電極と第２の計測用電極を形成するものである。第１の筐体部との計測距離を離して、第２の筐体部を人体の諸部位に押し当てて計測することができる。したがって、被計測者は姿勢を曲げないで人体に負担をかけずに、一方の手に第１の筐体部の第１の通電用電極と第１の計測用電極が接触するように保持し、人体の他部位に第２の筐体部の第２の通電用電極と第２の計測用電極を押し当てて計測することができる。これにより、正確な計測値が得ることができる。
【００１２】
そのうえに、本発明の分離可能型生体インピーダンス計測装置は、第１の筐体部の同面に第１の通電用電極と第１の計測用電極を形成するものである。第２の筐体部と同様に手以外の部位にも第１の筐体部を押し当てて接触させることができる。したがって、第１の筐体部と第２の筐体部とは、人体のどの部位とでも計測経路を形成することができ、人体の諸部位間のインピーダンスを計測できるものである。
【００１３】
更に、本発明の分離可能型生体インピーダンス計測装置は、第１の筐体部の複数の同面に第１の通電用電極と第１の計測用電極を形成するものである。したがって、第１の筐体部の向きを変え、人体の部位に第１の通電用電極と第１の計測用電極を押し当てて接触させることができる。これにより、計測者は、第１の筐体部の表示手段を自分の視野に向け、計測状況を確認しながら計測できるものである。
【００１４】
更に、本発明の分離可能型生体インピーダンス計測装置は、第２の筐体部の複数の同面に第２の通電用電極と第２の計測用電極を形成するものである。したがって、人体の諸部位に適応した第２の筐体部の電極面の向きにして押し当てることができるので、計測しやすくできる。
【００１５】
更に、本発明の分離可能型生体インピーダンス計測装置は、表示手段に人体のどの部位間を計測するかの案内を計測個所の名称や絵で表示するものである。したがって、計測前に現在人体のどの部位間を計測するかの確認ができるようになる。これにより、計測者は、計測部位を間違って計測することがなくなる。
【００１６】
なお、手と手との間は、第１の筐体部と第２の筐体部を結合した状態で計測することもできる。また、通常、未使用のときには、第１の筐体部と第２の筐体部とを結合した状態とすれば、コンパクトであるので、携帯などに便利である。
上述においては、計測手段と入力手段と演算手段を第１の筐体部に備えるものとして説明したが、計測手段と入力手段と演算手段の一部もしくは全てを第２の筐体部に備えてもよい。
【００１７】
【実施例】
本発明の分離可能型生体インピーダンス計測装置の一種である分離可能型体脂肪計を実施例として上げ、図面を参照して説明する。
図１は、本発明の実施例の分離可能型体脂肪計の斜視図である。本実施例の分離可能型体脂肪計１は、第１の筐体部２と第２の筐体部３とが結合部１１で結合されている。第１の筐体部２は、上部長手側面１２に配設した第１の通電用電極４と、下部長手側面１３に配設した第１の計測用電極５と、計測条件を入力するためのスイッチ８と、入力の状態や演算の結果を表示するための表示部９と、第１の筐体部２の内部の電子回路基板上に配置された公知のインピーダンスを計測する計測手段と計測手段で得られたデータと入力手段に設定されたデータを基に演算する演算手段により構成する。また、第２の筐体部３は、正面１４に配設した第２の通電用電極６と第２の計測用電極７により構成する。
また、図２の本発明の実施例の分離可能型体脂肪計の分離状態図に示すように、第１の筐体部２と第２の筐体部３を結合部１１から分離すると、それぞれの筐体の間は、第１の筐体部２の第１の通電用電極４と第１の計測用電極５と、第２の筐体部３の第２の通電用電極６と第２の計測用電極７との間で計測できるように電線１０により配線され接続している。
本実施例の分離可能型体脂肪計１を用いた体脂肪率等の計測は、通常、入力手段であるキー８により、体重・体型・性別・年齢・身長・計測部位等の条件を設定し、第１の筐体部２と第２の筐体部３とを結合部１１から分離する。そして、例えば図３の手と腹との間の計測状態図や図４の手と足との間の計測状態図に示すように、被計測者１６は通常に立った状態で、一方の手に第１の通電用電極４と第１の計測用電極５とが接触するように第１の筐体部２を保持し、第２の筐体部３の正面１４に配設された第２の通電用電極６と第２の計測用電極７を腹もしくは足の部位に押し当てて接触し保持することにより計測する。なお、病床で寝たきりの体が不自由な被計測者の場合には、介護者等の他の者に第１の筐体部２と第２の筐体部３を計測個所に接触し保持してもらうことで計測できる。これにより、第１の通電用電極４と第２の通電用電極６との間には電流が流れ、一方の手と腹もしくは足との部位間に電流路が形成される。そして、第１の計測用電極５と第２の計測用電極７により、一方の手と腹もしくは足との部位間に形成された電流路の２点間の電位差を検出し、公知の計測手段によりインピーダンスの計測を実現することができる。
このように、第１の筐体部２と第２の筐体部３は結合部１１から分離でき、計測距離が自由にできることで、被計測者の計測個所に配置できるようになり、たとえ病床で寝たきりの体が不自由な被計測者でも、被計測者自身でない計測者に手伝ってもらうことにより計測することができる。また、第２の筐体部３の正面１４である同面に第２の通電用電極６と第２の計測用電極７を配設しているため、被計測者１６は、姿勢を曲げないで人体に負担をかけないで、一方の手を基準にして、腹もしくは足との部位間との計測ができるので、正確な計測値が得ることができる。
【００１８】
図５は、本発明の実施例の分離型体脂肪計の斜視図である。本実施例の分離型体脂肪計２１は、第１の筐体部２２と第２の筐体部３とが結合部１１で結合されている。第１の筐体部２２は、正面１４に配設した第１の通電用電極４と第１の計測用電極５と、計測条件を入力するためのスイッチ８と、入力の状態や演算の結果を表示するための表示部９と、第１の筐体部２２の内部の電子回路基板上に配置された公知のインピーダンスを計測する計測手段と計測手段で得られたデータと入力手段に設定されたデータを基に演算する演算手段により構成する。また、第２の筐体部３は、正面１４に配設した第２の通電用電極６と第２の計測用電極７により構成する。
このような構成の場合には、例えば図６の腹と腹との間の計測状態図に示すように、第１の筐体部２２の同面に配設された第１の通電用電極４と第２の計測用電極５を被計測者１６の腹の部位に押し当てて接触し保持し、第２の筐体部３の正面１４に配設された第２の通電用電極６と第２の計測用電極７を腹の部位に押し当てて接触し保持することにより計測することができる。
第１の筐体部２２と第２の筐体部３のそれぞれの電極を、計測したい部位間に押し当てることによりその部位間の計測経路を形成することができるので、腹と腹との間以外にも人体の諸部位のインピーダンスを計測できるものである。
【００１９】
図７は、本発明の実施例の分離型体脂肪計の部分図である。図５の分離型体脂肪計の構成に加えて、第１の筐体部２２の下部長手側面１３にも第１の通電用電極４と第１の計測用電極５を配設するものである。そして、第１の筐体部２２の内部では、正面１４の第１の通電用電極４と下部長手側面１３の第１の通電用電極４を接続し、正面１４の第１の計測用電極５と下部長手側面１３の第１の計測用電極５を接続し構成する。
第１の筐体部２２の向きを変え、人体の部位に第１の筐体部２２の下部長手側面１３の第１の通電用電極４と第１の計測用電極５を押し当てて接触させることができることにより、計測者は、第１の筐体部２２の表示部９を自分の視野に向け、計測状況を確認しながら計測できるものである。
【００２０】
また、図８は、本発明の実施例の分離型体脂肪計の部分図である。図１、図５、図７の分離型体脂肪計の構成に加えて、第２の筐体部３の短手側面１５にも第２の通電用電極６と第２の計測用電極７を配設するものである。そして、第２の筐体部３の内部では、正面１４の第２の通電用電極６と短手側面１５の第２の通電用電極６を接続し、正面１４の第２の計測用電極７と短手側面１５の第２の計測用電極７を接続し構成する。
例えば図４の手と足との間の計測状態図のような場合には、手側に第１の筐体部２を保持し、足側に第２の筐体部３を保持する。その際、足側の第２の筐体部３の正面１４を接触面として利用すると足の裏で踏みやすく、保持しやすい。また、図６の腹と腹との間の計測状態図のような場合には、第２の筐体部３の短手側面１５を接触面として利用すると手での保持がしやすい。このように、人体の諸部位に適応した電極面を押し当てることができるので、計測しやすくできる。
【００２１】
更に、本発明は、電源投入や計測開始時に、計測個所の全ての名称または絵を表示部９に表示させ、スイッチ８により特定の計測個所を選択、表示させる。計測者はその表示に従って、第１の筐体部２２と第２の筐体部３を人体の計測部位に接触させて計測する。それにより、計測個所を間違えて計測するようなことが少なくなる。
【００２２】
なお、本実施例においては、分離可能型体脂肪計について説明したが、本発明は、上述の実施例に限定されなく、生体のインピーダンスを計測するために電極を配設した体水分計、脈拍計、身体組成測定装置、身体疲労度判定装置、患部回復度判定装置、むくみ測定装置等の分離可能型生体インピーダンス計測装置であれば、上述した実施例の通り実施可能である。
【００２３】
【発明の効果】
本発明は、以上説明したようなことから、以下に記載されるような効果を有する。
筐体を分離できるようにしたことにより、被計測者以外の人手により、被計測者の計測ができるようになった。そして、被計測者は人体に負担がかかるような姿勢になることがなくなり、人体の筋肉や脂肪を安定した状態で計測ができるようになった。これにより正確なインピーダンス計測値が得られる。
また、表示手段を備えた側の筐体側の電極を同面にすることにより、人体の諸部位に押し当てることができるので、人体の諸部位について計測できる。
また、電極を複数の同面に形成することにより、筐体の向きを変えられるので、計測状況を確認しながら計測できたり、保持がしやすく計測しやすくなる。
更に、計測個所の名称や絵を表示手段に表示することにより、計測個所の認識がしやすくなり、被計測者が計測個所を間違えなくなり、正確な計測ができる。
【図面の簡単な説明】
【図１】分離可能型体脂肪計の斜視図である。
【図２】分離可能型体脂肪計の分離状態図である。
【図３】手と腹との間の計測状態図である。
【図４】手と足との間の計測状態図である。
【図５】分離可能型体脂肪計の斜視図である。
【図６】腹と腹との間の計測状態図である。
【図７】分離可能型体脂肪計の部分図である。
【図８】分離可能型体脂肪計の部分図である。
【符号の説明】
1, 21  分離型体脂肪計
2, 22  第１の筐体部
3  第２の筐体部
4  第１の通電用電極
5  第１の計測用電極
6  第２の通電用電極
7  第２の計測用電極
8  スイッチ
9  表示部
10  電線
11  結合部
12  上部長手側面
13  下部長手側面
14  正面
15  短手側面
16  被計測者
【図１】
0003705576.tif 000002
【図２】
0003705576.tif 000003
【図３】
0003705576.tif 000004
【図４】
0003705576.tif 000005
【図５】
0003705576.tif 000006
【図６】
0003705576.tif 000007
【図７】
0003705576.tif 000008
【図８】
0003705576.tif 000009